(57)【要約】  本発明は、（Ａ）殺線虫有効量の少なくとも１つのマクロライド化合物、及び（Ｂ）殺虫有効量のネオニコチノイド類から選択される少なくとも１つの殺虫剤を含んで成る、線虫及び昆虫又は代表的なダニ目を防除するための、少なくとも２成分の組成物を提供する。【特許請求の範囲】
【請求項１】
（Ａ）殺線虫有効量の、アバメクチン、エマメクチン安息香酸塩及びスピノサドから選択される少なくとも１つのマクロライド化合物；及び
（Ｂ）殺虫有効量の、イミダクロプリド、クロチアニジン及びチアメトキサムから選択される少なくとも１つの殺虫剤
を、活性成分として含んで成る少なくとも２成分の殺虫組成物。
【請求項２】
（Ａ）殺線虫有効量のアバメクチンを含む、請求項１に記載の組成物。
【請求項３】
（Ｂ１）殺線虫有効量のイミダクロプリドを含む、請求項１又は請求項２に記載の組成物。
【請求項４】
（Ｂ２）殺線虫有効量のクロチアニジンを含む、請求項１又は請求項２に記載の組成物。
【請求項５】
（Ｂ３）殺線虫有効量のチアメトキサムを含む、請求項１又は請求項２に記載の組成物。
【請求項６】
（Ａ）殺線虫有効量のアバメクチン；及び
（Ｂ３）殺虫有効量のチアメトキサム
を含む、請求項１に記載の組成物。
【請求項７】
活性成分の比（Ａ）：（Ｂ）が、１００Ｋｇ種子あたり（１００ｇ〜４００ｇ）：（３００ｇ〜５００ｇ）である、請求項１〜６のいずれか一項に記載の組成物。
【請求項８】
殺真菌有効量の、（Ｃ）アゾキシストロビン、フルジオクソニル、Ｒ−メタラキシル及びミクロブタニルから選択される化合物を更に含んで成る、請求項１〜７のいずれか一項に記載の組成物。
【請求項９】
殺虫有効量の、請求項１〜８のいずれか一項に記載の殺虫組成物で処理した植物繁殖材料を含んで成る、害虫耐性植物繁殖材料。
【請求項１０】
前記殺虫組成物が、（Ａ）殺線虫有効量のアバメクチンを含む、請求項９に記載の害虫耐性植物繁殖材料。
【請求項１１】
前記殺虫組成物が、（Ｂ１）殺虫有効量のイミダクロプリドを含む、請求項９又は請求項１０に記載の害虫耐性植物繁殖材料。
【請求項１２】
前記殺虫組成物が、（Ｂ２）殺虫有効量のクロチアニジンを含む、請求項９又は請求項１０に記載の害虫耐性植物繁殖材料。
【請求項１３】
前記殺虫組成物が、（Ｂ３）殺虫有効量のチアメトキサムを含む、請求項９又は請求項１０に記載の害虫耐性植物繁殖材料。
【請求項１４】
前記殺虫組成物が、
（Ａ）殺線虫有効量のアバメクチン；及び
（Ｂ３）殺虫有効量のチアメトキサム
を含む、請求項９に記載の害虫耐性植物繁殖材料。
【請求項１５】
活性成分の比（Ａ）：（Ｂ）が、１００Ｋｇ種子あたり（１００ｇ〜４００ｇ）：（３００ｇ〜５００ｇ）である、請求項９〜１４のいずれか一項に記載の害虫耐性植物繁殖材料。
【請求項１６】
殺線虫有効量且つ殺虫有効量の、請求項１〜８のいずれか一項に記載の組成物を用いて、植物繁殖材料を処理することを含んで成る、線虫及び昆虫による攻撃から植物繁殖材料を保護する方法。
【請求項１７】
前記組成物が、殺真菌有効量の（Ｃ）アゾキシストロビン、フルジオクソニル、Ｒ−メタラキシル及びミクロブタニルから選択される化合物を更に含んで成る、請求項１６に記載の方法。
【請求項１８】
前記植物繁殖材料が綿、トマト、コショウ，メロン、カンタロープ、スカッシュ及びキュウリから選択から選択される植物種子である、請求項１６又は請求項１７に記載の方法。
【発明の詳細な説明】
【技術分野】
【０００１】
本発明は、（ａ）少なくとも１つの殺線虫剤及び（ｂ）少なくとも１つの殺虫剤を含んで成る、線虫及び昆虫及び／又は代表的なダニ目を防除するのに適した殺虫組成物に関する。この殺虫組成物は、特に植物繁殖材料、例えば種子を保護するのに適している。
【背景技術】
【０００２】
害虫を防除するための活性成分のある混合物が文献に記載されている。それらの既知の混合物の生物学的特性は、例えば、線虫の防除、植物毒性、負荷率並びに環境曝露及び労働者曝露の分野において全く満足なものでない。殺虫剤による植物繁殖材料の保護（種子処理）は、単独で用いる場合又は葉面若しくは畝中（ｉｎ−ｆｕｒｒｏｗ）殺虫剤散布と共に用いる場合に、環境曝露及び労働者曝露の減少に対する必要性に部分的に対処する標的適用である。しかし、旧来の急性毒性殺虫剤の必要性を低減する他の混合物を利用可能にし、そして負荷率を低減する必要性も存在する。旧来の殺線虫剤の中で、以下のものを挙げることができる：臭化メチル、メタムナトリウム、エトプロップ、カルボフラン、アルジカルブ、フェナミホス及びオキサミル。従って、植物繁殖材料の保護のための殺虫組成物及び殺虫方法、特に向上した生物特性、例えば相乗的殺虫特性を有する組成物、特に線虫及び昆虫を防除するための組成物を提供する必要がある。この問題は、本殺虫組成物の提供により本発明に従って解決される。
【発明の開示】
【０００３】
発明の概要
本発明は、（Ａ）少なくとも１つの殺線虫活性マクロライド化合物、及び（Ｂ）ネオニコチノイド類から選択される少なくとも１つの殺虫活性化合物を含んで成る、線虫及び昆虫及び／又は代表的なダニ目を防除するための組成物を提供する。
【０００４】
より具体的には、本発明は、植物繁殖材料、例えば作物種子の保護に特に適した、線虫及び昆虫及び／又は代表的なダニ目を防除するための組成物を提供する。本発明の殺虫組成物は、（Ａ）殺線虫有効量の少なくとも１つのマクロライド化合物、及び（Ｂ）殺虫有効量のネオニコチノイド類から選択される少なくとも１つの殺虫化合物を含んで成る。
【０００５】
本発明は、本発明の殺虫組成物を用いて、植物繁殖材料及びそれから得られる植物体を、線虫及び真菌病から保護するための方法にも関する。それは、その殺虫組成物で被覆した植物繁殖材料にも関する。
【０００６】
本発明は、従来技術で知られたものより少量の旧来の急性毒性殺生剤を用いて、種子及び他の植物繁殖材料をドレッシング又は処理することを可能にし、ほとんどの場合、このような旧来の急性毒性殺生剤を置き換える；従って、本発明はこの分野の物質強化を示す。
【０００７】
具体的実施態様の説明
殺線虫化合物（Ａ）
本発明の殺虫組成物は、殺線虫活性成分（Ａ）として、アバメクチン、エマメクチン安息香酸塩及びスピノサドから選択される少なくとも１つのマクロライド化合物を含んで成る。
【０００８】
アバメクチンは、好ましいマクロライド化合物（Ａ）である。
【０００９】
アバメクチンは、例えばＴｈｅ Ｐｅｓｔｉｃｉｄｅ Ｍａｎｕａｌ（１１ｔｈ版（１９９７），Ｔｈｅ Ｂｒｉｔｉｓｈ Ｃｒｏｐ Ｐｒｏｔｅｃｔｉｏｎ Ｃｏｕｎｃｉｌ，Ｌｏｎｄｏｎ，ページ３）より知られている；
【００１０】
エマメクチン安息香酸塩は、例えばｅ−Ｐｅｓｔｉｃｉｄｅ Ｍａｎｕａｌ（バージョン３．０，１３ｔｈ版，Ｅｄ．ＣＤＣ Ｔｏｍｌｉｎ，Ｂｒｉｔｉｓｈ Ｃｒｏｐ Ｐｒｏｔｅｃｔｉｏｎ Ｃｏｕｎｃｉｌ，２００３−０４，エントリー２９１）より知られている；そして
【００１１】
スピノサドは、例えばｅ−Ｐｅｓｔｉｃｉｄｅ Ｍａｎｕａｌ（バージョン３．０，１３ｔｈ版，Ｅｄ．ＣＤＣ Ｔｏｍｌｉｎ， Ｂｒｉｔｉｓｈ Ｃｒｏｐ Ｐｒｏｔｅｃｔｉｏｎ Ｃｏｕｎｃｉｌ，２００３−０４，エントリー７３７）より知られている。
【００１２】
殺虫成分（Ｂ）
本発明の殺虫組成物は、殺虫活性成分（Ｂ）として、（Ｂ１）イミダクロプリド、（Ｂ２）クロチアニジン及び（Ｂ３）チアメトキサムから選択される少なくとも１つの殺虫化合物を含んで成る。
【００１３】
イミダクロプリドは、例えばｅ−Ｐｅｓｔｉｃｉｄｅ Ｍａｎｕａｌ（バージョン３．０，１３ｔｈ版，Ｅｄ．ＣＤＣ Ｔｏｍｌｉｎ，Ｂｒｉｔｉｓｈ Ｃｒｏｐ Ｐｒｏｔｅｃｔｉｏｎ Ｃｏｕｎｃｉｌ，２００３−０４，エントリー４５８）より知られている；
【００１４】
クロチアニジンは、例えばｅ−Ｐｅｓｔｉｃｉｄｅ Ｍａｎｕａｌ（バージョン３．０，１３ｔｈ版，Ｅｄ．ＣＤＣ Ｔｏｍｌｉｎ，Ｂｒｉｔｉｓｈ Ｃｒｏｐ Ｐｒｏｔｅｃｔｉｏｎ Ｃｏｕｎｃｉｌ，２００３−０４，エントリー１６５）より知られている；そして
【００１５】
チアメトキサムは、例えばｅ−Ｐｅｓｔｉｃｉｄｅ Ｍａｎｕａｌ（バージョン３．０，１３ｔｈ版，Ｅｄ．ＣＤＣ Ｔｏｍｌｉｎ，Ｂｒｉｔｉｓｈ Ｃｒｏｐ Ｐｒｏｔｅｃｔｉｏｎ Ｃｏｕｎｃｉｌ，２００３−０４，エントリー７９２）より知られている。
【００１６】
Ａ．ｌ．組み合わせ
驚いたことに、少なくとも１つの殺線虫活性成分（Ａ）の、（Ｂ１）、（Ｂ２）及び（Ｂ３）から選択される少なくとも１つの殺虫活性成分との組み合わせが、線虫及び昆虫に対して予想外にかなりの作用の強化をもたらし、そして／或いは植物繁殖材料と関連して用いた場合に他の予想外の利点を提供することが見出された。本発明の組み合わせにより達成される作用及び／又は他の有利な特性の増強は、個々の成分により予想される活性よりも極めて大きい。すなわち、活性は相乗的に強化され、特に化合物の殺虫活性の限界を伸ばす。
【００１７】
本発明の混合物は、植物繁殖材料へのドレッシング適用に特に適している。後者の用語は、全ての種類の種子（果実、塊茎、穀粒）、挿し木、切断したシュート（ｓｈｏｏｔ）などを包含する。種子が好ましい。適用の１つの具体的な分野は、全ての種類の種子の処理、特に綿、果菜類、例えばトマト、及びコショウ，ウリ科野菜、例えばメロン、カンタロープ、スカッシュ及びキュウリの種子処理である。
【００１８】
少なくとも２つの成分の混合物に加えて、本発明は、昆虫及び線虫により群がられる又は群がられやすい部位、例えば植物体又は植物繁殖材料（特に種子）を、（１）少なくとも１つの殺線虫活性成分（Ａ）及び（２）少なくとも１つの殺虫活性成分（Ｂ）を用いて、任意の所望の順序で又は同時に処理することを含んで成る、昆虫及び線虫を防除する方法にも関する。
【００１９】
一般的に、殺線虫活性成分は、重量混合比（Ａ）：（Ｂ）を１：５〜５：１で適用する。例えば、１つの実施態様において、アバメクチン（Ａ）は１００ｇ〜４００ｇ ａ．ｉ．／１００Ｋｇ種子の比で適用し、ネオニコチノイド（Ｂ）は３００ｇ〜５００ｇ ａ．ｉ．／１００Ｋｇ種子の比で適用する。
【００２０】
具体例として、アバメクチンを１００ｇ／１００Ｋｇ種子の比で適用する。１つの実施態様において、アバメクチンを０．１〜０．１５ｍｇ／種子又は、特に０．１ｍｇ／種子で適用する。
【００２１】
特に、驚いたことに、例えば本発明の組成物の殺虫活性は、個々の成分の殺虫活性と比較して、単に相加的（本来予想することのできるように）ではなく、相乗的効果が存在することが見出された。しかし、「相乗的」という用語は、殺虫活性とのこのような関連に決して限定されるものではなく、個々の成分と比較して本発明の組成物の他の有利な特性について等しく言及する。言及することのできるこのような有利な特性の例は：他の害虫、例えば耐性株に対する殺虫活性の範囲を拡大すること；活性成分の適用の程度を軽減すること；本発明の組成物を用いた害虫の適切な防除（たとえ個々の化合物が全く効果のない適用の程度でも）；製剤及び／又は適用、例えば粉砕、篩過、乳化、溶解又は分散の際の有利な作用；保存安定性の増大；光に対する安定性の向上；より有利な分解性；毒性及び／又は生態毒性作用の向上；作物特性の向上、例えば：出芽、収穫量、植物の立った姿勢、より発達した根系、分げつ（ｔｉｌｌｅｒｉｎｇ）の増大、植物体の高さの増大、より大きな葉身、より少ない枯れた根出葉、より強い分げつ、より緑色の葉色、必要な肥料の減少、必要な種子の減少、より多くの有効分げつ、より早期の開花、早期の穀粒の成熟、植物倒れ（倒伏）の減少、シュート成長の増大、植物の活力の向上、及び早期の発芽；又は当業者に良く知られている任意の他の利点である。
【００２２】
本発明の種子処理組成物で使用する活性成分の組み合わせは、好ましくは、１００〜４００ｇアバメクチン／１００Ｋｇ種子から３００ｇ〜５００ｇチアメトキサム／１００Ｋｇ種子の比で、アバメクチン及びチアメトキサムを含んで成る。
【００２３】
１つの実施態様においては、少なくとも１つの抗菌活性物質（Ｃ）を、（Ａ）及び（Ｂ）の少なくとも２つの成分の混合物と共に使用して、作用の範囲を増大し、又は特定の作用の獲得、例えば殺真菌防除を提供する。適切な殺真菌剤のクラスとしては、フェニルアミド、フェニルピロール、ストビルリン（ｓｔｏｂｉｌｕｒｉｎ）及びトリアゾールが挙げられる。
【００２４】
１つの実施態様においては、本発明の種子処理組成物及び方法を、１又は複数の葉面及び／又は畝中の殺虫剤処理及び／又は殺真菌剤処理と組み合わせる。適切な殺虫剤としては、例えばＴｅｍｉｋ（登録商標）（アルジカルブ）、チアメトキサム、イミダクロプリド及びクロチアニジンが挙げられる。適切な殺真菌剤としては、メタラキシル、Ｒ−メタラキシル、ストビルリン、例えばアゾキシストロビン、トリアゾール、例えばミクロブタニル、フルジオクソニル、トリアジメノール、ＴＣＭＴＢ、ＰＣＮＢ、カルボキシン及びクロロネブが挙げられる。
【００２５】
昆虫害虫
本発明の組成物は、植物繁殖材料及び発達植物を、動物害虫、例えば昆虫及び代表的なダニ目、例えば：
鱗翅目から、例えば、
アクレリス種（Ａｃｌｅｒｉｓ ｓｐｐ）、アドキソフィエス種（Ａｄｏｘｏｐｈｙｅｓ ｓｐｐ）、アエゲリア種（Ａｅｇｅｒｉａ ｓｐｐ）、アグロチス種（Ａｇｒｏｔｉｓ ｓｐｐ）、アラバマ アルギラセアエ（Ａｌａｂａｍａ ａｒｇｉｌｌａｓｅａｅ）、アミロイス種（ａｍｙｌｏｉｓ ｓｐｐ）、アンチカルシア ゲマタリス（Ａｎｔｉｃａｒｓｉａ ｇｅｍｍａｔａｌｉｓ）、アルチプス種（Ａｒｃｈｉｐｓ ｓｐｐ）、アルギロタエニア種（Ａｒｇｙｒｏｔａｅｎｉａ ｓｐｐ）、アウトグラファ種（Ａｕｔｏｇｒａｐｈａ ｓｐｐ）、ブセオラ フスカ（Ｂｕｓｓｅｏｌａ ｆｕｓｃａ）、カドラ カウテラ（Ｃａｄｒａ ｃａｕｔｅｌｌａ）、カルポシナ ニッポネシス（Ｃａｒｐｏｓｉｎａ ｎｉｐｐｏｎｅｓｉｓ）、チロ種（Ｃｈｉｌｏ ｓｐｐ）、コリストネウラ種（Ｃｈｏｒｉｓｔｏｎｅｕｒａ ｓｐｐ）、クリシア アンビグエラ（Ｃｌｙｓｉａ ａｍｂｉｇｕｅｌｌａ）、クナファロクロシス種（Ｃｎａｐｈａｌｏｃｒｏｃｉｓ ｓｐｐ）、クネファシア種（Ｃｎｅｐｈａｓｉａ ｓｐｐ）、コチリス種（Ｃｏｃｈｙｌｉｓ ｓｐｐ）、コレオフォラ種（Ｃｏｌｅｏｐｈｏｒａ ｓｐｐ）、クロシドロミア ビノタリス（Ｃｒｏｃｉｄｏｌｏｍｉａ ｂｉｎｏｔａｌｉｓ）、クリプトフレビア ロイコトレタ（Ｃｒｙｐｔｏｐｈｌｅｂｉａ ｌｅｕｃｏｔｒｅｔａ）、シジア種（Ｃｙｄｉａ）、ジアトラエア種（Ｄｉａｔｒａｅａ ｓｐｐ）、ジパロプシス カスタネア（Ｄｉｐａｒｏｐｓｉｓ ｃａｓｔａｎｅａ）、エアリアス種（Ｅａｒｉａｓ ｓｐｐ）、エフェスチア種（Ｅｐｈｅｓｔｉａ ｓｐｐ）、エウコスマ種（Ｅｕｃｏｓｍａ ｓｐｐ）、エウポエシリア アンビグエラ（Ｅｕｐｏｅｃｉｌｌｉａ ａｍｂｉｇｕｅｌｌａ）、エウプロクチス種（Ｅｕｐｒｏｃｔｉｓ ｓｐｐ）、エウクソア種（Ｅｕｘｏａ ｓｐｐ）、グラフォリタ種（Ｇｒａｐｈｏｌｉｔａ ｓｐｐ）、ヘジア ヌビフェラナ（Ｈｅｄｙａ ｎｕｂｉｆｅｒａｎａ）、ヘリオシス種（Ｈｅｌｏｉｔｈｉｓ ｓｐｐ）、ヘルラ ウンダリス（Ｈｅｌｌｕｌａ ｕｎｄａｌｉｓ）、ハイファントリア クネア（Ｈｙｐｈａｎｔｒｉａ ｃｕｎｅａ）、ケイフェリア リコペルシセラ（Ｋｅｉｆｅｒｉａ ｌｙｃｏｐｅｒｓｉｃｅｌｌａ）、ロイコプテラ スシテラ（Ｌｅｕｃｏｐｔｅｒａ ｓｃｉｔｅｌｌａ）、リソコレシス種（Ｌｉｔｈｏｃｏｌｌｅｔｈｉｓ ｓｐｐ）、ロベシア ボトラナ（Ｌｏｂｅｓｉａ ｂｏｔｒａｎａ）、リマントリア種（Ｌｙｍａｎｔｒｉａ ｓｐｐ）、リオネチア種（Ｌｙｏｎｅｔｉａ ｓｐｐ）、マラコソマ種（Ｍａｌａｃｏｓｏｍａ ｓｐｐ）、マメストラ ブラシカエ（Ｍａｍｅｓｔｒａ ｂｒａｓｓｉｃａｅ）、マンドゥカ セクスタ（Ｍａｎｄｕｃａ Ｓｅｘｔａ）、オペロフテラ種（Ｏｐｅｒｏｐｈｔｅｒａ ｓｐｐ）、オストリニア ヌビラリス（Ｏｓｔｒｉｎｉａ ｎｕｂｉｌａｌｉｓ）、パメネ種（Ｐａｍｍｅｎｅ ｓｐｐ）、パンデミス種（Ｐａｎｄｅｍｉｓ ｓｐｐ）、パノリス フラメア（Ｐａｎｏｌｉｓｆｌａｍｍｅａ）、ペクチノフォラ ゴシピエラ（Ｐｅｃｔｉｎｏｐｈｏｒａ ｇｏｓｓｙｐｉｅｌｌａ）、フトリマエア オペルクレラ（Ｐｈｔｈｏｒｉｍａｅａ ｏｐｅｒｃｕｌｅｌｌａ）、ピエリス ラパエ（Ｐｉｅｒｉｓ ｒａｐａｅ）、ピエリス種（���ｉｅｒｉｓ ｓｐｐ）、プルテラ キシロステラ（Ｐｌｕｔｅｌｌａ ｘｙｌｏｓｔｅｌｌａ）、プライス種（Ｐｒａｙｓ ｓｐｐ）、スクリポファガ種（Ｓｃｒｉｐｏｐｈａｇａ ｓｐｐ）、セサミア種（Ｓｅｓａｍｉａ ｓｐｐ）、スパルガノシス種（Ｓｐａｒｇａｎｏｔｈｉｓ ｓｐｐ）、スポドプテラ種（Ｓｐｏｄｏｐｔｅｒａ ｓｐｐ）、シナンセドン種（Ｓｙｎａｎｔｈｅｄｏｎ ｓｐｐ）、タウメトポエア種（Ｔｈａｕｍｅｔｏｐｏｅａ ｓｐｐ）、トルトリクス種（Ｔｏｒｔｒｉｘ ｓｐｐ）、トリコプルシアニ（Ｔｒｉｃｈｏｐｌｕｓｉａ ｎｉ）及びイポノメウタ種（Ｙｐｏｎｏｍｅｕｔａ ｓｐｐ）；
甲虫目から、例えば、
アグリオテス種（Ａｇｒｉｏｔｅｓ ｓｐｐ）、アントノムス種（Ａｎｔｈｏｎｏｍｕｓｕ ｓｐｐ）、アトマリア リネアリス（Ａｔｏｍａｒｉａ ｌｉｎｅａｒｉｓ）、カエトクネマ チビアリス（Ｃｈａｅｔｏｃｎｅｍａ ｔｉｂｉａｌｉｓ）、コスモポリテス種（Ｃｏｓｍｏｐｏｌｉｔｅｓ ｓｐｐ）、クルクリオ種（Ｃｕｒｃｕｌｉｏ ｓｐｐ）、デルメテス種（Ｄｅｒｍｅｔｅｓ ｓｐｐ）、ジアブロチカ種（Ｄｉａｂｒｏｔｉｃａ ｓｐｐ）、エピラクナ種（Ｅｐｉｌａｃｈｎａ ｓｐｐ）、エレムヌス種（Ｅｒｅｍｎｕｓ ｓｐｐ）、レプチノタルサ デセムリネアタ（Ｌｅｐｔｉｎｏｔａｒｓａ ｄｅｃｅｍｌｉｎｅａｔａ）、リソロプトルス種（Ｌｉｓｓｏｒｈｏｐｔｒｕｓ ｓｐｐ）、メロロンタ種（Ｍｅｌｏｌｏｎｔｈａ ｓｐｐ）、オリカエフィルス種（Ｏｒｙｃａｅｐｈｉｒｕｓ ｓｐｐ）、オチオリンクス種（Ｏｔｉｏｒｈｙｎｃｈｕｓ ｓｐｐ）、フリクチヌス種（Ｐｈｌｙｃｔｉｎｕｓ ｓｐｐ）、ポピリア種（Ｐｏｐｉｌｌｉａ ｓｐｐ）、プシリオデス種（Ｐｓｙｌｌｉｏｄｅｓ ｓｐｐ）、リゾペルタ種（Ｒｈｉｚｏｐｅｒｔｈａ ｓｐｐ）、スカラベイダエ（Ｓｃａｒａｂｅｉｄａｅ）、シトフィルス種（Ｓｉｔｏｐｈｉｌｕｓ ｓｐｐ）、シトトロガ種（Ｓｉｔｏｔｒｏｇａ ｓｐｐ）、テネブリオ種（Ｔｅｎｅｂｒｉｏ ｓｐｐ）、トリボリウム種（Ｔｒｉｂｏｌｉｕｍ ｓｐｐ）及びトロゴデルマ種（Ｔｒｏｇｏｄｅｒｍａ ｓｐｐ）；
直翅目から、例えば、
ブラッタ種（Ｂｌａｔｔａ ｓｐｐ）、ブラッテラ種（Ｂｌａｔｔｅｌｌａ ｓｐｐ）、グリロタルパ種（Ｇｒｙｌｌｏｔａｌｐａ ｓｐｐ）、ロイコファエア マデラエ（Ｌｅｕｃｏｐｈａｅａ ｍａｄｅｒａｅ）、ロクスタ種（Ｌｏｃｕｓｔａ ｓｐｐ）、ペリプラネタ種（Ｐｅｒｉｐｌａｎｅｔａ ｓｐｐ）及びスチストセルカ種（Ｓｃｈｉｓｔｏｃｅｒｃａ ｓｐｐ）；
等翅目から、例えば、
レチクリテルメス種（Ｒｅｔｉｃｕｌｉｔｅｒｍｅｓ ｓｐｐ）；
チャタテムシ目から、例えば、
リポセリス種（Ｌｉｐｏｓｃｅｌｉｓ ｓｐｐ）；
シラミ目から、例えば、
ハエマトピヌス種（Ｈａｅｍａｔｏｐｉｎｕｓ ｓｐｐ）、リノグナサス種（Ｌｉｎｏｇｎａｔｈｕｓｕ ｓｐｐ）、ペジクルス種（Ｐｅｄｉｃｕｌｕｓ ｓｐｐ）、ペムフィグス種（Ｐｅｍｐｈｉｇｕｓ ｓｐｐ）及びフィロキセラ種（Ｐｈｙｌｌｏｘｅｒａ ｓｐｐ）；
ハジラミ目から、例えば、
ダマリネア種（Ｄａｍａｌｉｎｅａ ｓｐｐ）及びトリコデクテス種（Ｔｒｉｃｈｏｄｅｃｔｅｓ ｓｐｐ）；
総翅目から、例えば、
フランクリニエラ種（Ｆｒａｎｋｌｉｎｉｅｌｌａ ｓｐｐ）、ヘルシノスリプス種（Ｈｅｒｃｉｎｏｔｈｒｉｐｓ ｓｐｐ）、タエニオスリプス種（Ｔａｅｎｉｏｔｈｒｉｐｓ ｓｐｐ）、スリプス パルミ（Ｔｈｒｉｐｓｐａｌｍｉ）、スリプス タバシ（Ｔｈｒｉｐｓ ｔａｂａｃｉ）及びスシルトスリプス アウランチイ（Ｓｃｉｒｔｏｔｈｒｉｐｓ ａｕｒａｎｔｉｉ）；
異翅目から、例えば、
シメックス種（Ｃｉｍｅｘ ｓｐｐ）、ジスタンチエラ テオブロマ（Ｄｉｓｔａｎｔｉｅｌｌａｔｈｅｏｂｒｏｍａ）、ジスデルクス種（Ｄｙｓｄｅｒｃｕｓ ｓｐｐ）、オイチスツス種（Ｅｕｃｈｉｓｔｕｓ ｓｐｐ）、オイリガステル種（Ｅｕｒｙｇａｓｔｅｒ ｓｐｐ）、レプトコリサ種（Ｌｅｐｔｏｃｏｒｉｓａ ｓｐｐ）、ネザラ種（Ｎｅｚａｒａ ｓｐｐ）、ピエスマ種（Ｐｉｅｓｍａ ｓｐｐ）、ロドニウス種（Ｒｈｏｄｎｉｕｓ ｓｐｐ）、サールベルゲラ シングラリス（Ｓａｈｌｂｅｒｇｅｌｌａ ｓｉｎｇｕｌａｒｉｓ）、スコチノファラ種（Ｓｃｏｔｉｎｏｐｈａｒａ ｓｐｐ）及びトリアトマ種（Ｔｒｉａｔｏｍａ ｓｐｐ）；
同翅目から、例えば、
アレウロトリクス フロコスス（Ａｌｅｕｒｏｔｈｒｉｘｕｓ ｆｌｏｃｃｏｓｕｓ）、アレイロデス ブラシカエ（Ａｌｅｙｒｏｄｅｓ ｂｒａｓｓｉｃａｅ）、アオニジエラ種（Ａｏｎｉｄｉｅｌｌａ ｓｐｐ）、アフィジダエ（Ａｐｈｉｄｉｄａｅ）、アフィス種（Ａｐｈｉｓ ｓｐｐ）、アスピドツス種（Ａｓｐｉｄｏｔｕｓ ｓｐｐ）、ベミシア タバシ（Ｂｅｍｉｓｉａ ｔａｂａｃｉ）、セロプラステル種（Ｃｅｌｏｐｌａｓｔｅｒ ｓｐｐ）、クリソムファルス アオニジウム（Ｃｈｒｙｓｏｍｐｈａｌｕｓ ａｏｎｏｄｉｕｍ）、クリソムファルス ジクチオスペルミ（Ｃｈｒｙｓｏｍｐｈａｌｕｓ ｄｉｃｔｙｏｓｐｅｒｍｉ）、コカス ヘスペリダム（Ｃｏｃｃｕｓ ｈｅｓｐｅｒｉｄｕｍ）、エンポアスカ種（Ｅｍｐｏａｓｃａ ｓｐｐ）、エリオソマ ラリゲルム（Ｅｒｉｏｓｏｍａ ｌａｒｉｇｅｒｕｍ）、エリスロノイラ種（Ｅｒｙｔｈｒｏｎｅｕｒａ ｓｐｐ）、ガスカルジア種（Ｇａｓｃａｒｄｉａ ｓｐｐ）、ラオデルファクス種（Ｌａｏｄｅｌｐｈａｘ ｓｐｐ）、レカニウム コルニ（Ｌｅｃａｎｉｕｍ ｃｏｒｎｉ）、レピドサフェス種（Ｌｅｐｉｄｏｓａｐｈｅｓ ｓｐｐ）、マクロシフス種（Ｍａｃｒｏｓｉｐｈｕｓ ｓｐｐ）、ミズス種（Ｍｙｚｕｓ ｓｐｐ）、ネフォテチックス種（Ｎｅｐｈｏｔｅｔｔｉｘ ｓｐｐ）、ニラパルバタ種（Ｎｉｌａｐａｒｖａｔａ ｓｐｐ）、パラトリア種（Ｐａｒａｔｏｒｉａ ｓｐｐ）、ペムフィグス種（Ｐｅｍｐｈｉｇｕｓ ｓｐｐ）、プラノコカス種（Ｐｌａｎｏｃｏｃｃｕｓ ｓｐｐ）、シュードアウラカスピス種（Ｐｓｅｕｄｏａｕｌａｃａｓｐｉｓ ｓｐｐ）、シュードコカス種（Ｐｓｅｕｄｏｃｏｃｃｕｓ ｓｐｐ）、プシラ種（Ｐｓｙｌｌａ ｓｐｐ）、プルビナリア アエチオピカ（Ｐｌｕｖｉｎａｒｉａ ａｅｔｈｉｏｐｉｃａ）、クアドラスピジオツス種（Ｑｕａｄｒａｓｐｉｄｉｏｔｕｓ ｓｐｐ）、ロパロシフム種（Ｒｈｏｐａｌｏｓｉｐｈｕｍ ｓｐｐ）、サイセチア種（Ｓａｉｓｓｅｔｉａ ｓｐｐ）、スカフィオデウス種（Ｓｃａｐｈｏｉｄｅｕｓ ｓｐｐ）、スチザフィス種（Ｓｃｈｉｚａｐｈｉｓ ｓｐｐ）、シトビオン種（Ｓｉｔｏｂｉｏｎ ｓｐｐ）、トリアロイロデス バポラアリオルム（Ｔｒｉａｌｅｕｒｏｄｅｓ ｖａｐｏｒａｒｉｏｒｕｍ）、トリオザ エリトリアエ（Ｔｒｉｏｚａ ｅｒｙｔｒｅａｅ）及びウナスピス シトリ（Ｕｎａｓｐｉｓ ｃｉｔｒｉ）；
膜翅目から、例えば、
アクロミルメクスアッタ種（Ａｃｒｏｍｙｒｍｅｘ Ａｔｔ ｓｐｐ）、セフス種（Ｃｅｐｈｕｓ ｓｐｐ）、ジプリオン種（Ｄｉｐｒｉｏｎ ｓｐｐ）、ジプリオニダエ（Ｄｉｐｒｉｏｎｉｄａｅ）、ギルピニア ポリトマ（Ｇｌｉｐｉｎｉａ ｐｏｌｙｔｏｍａ）、ホプロカムパ種（Ｈｏｐｌｏｃａｍｐａ ｓｐｐ）、ラシウス種（Ｌａｓｉｕｓ ｓｐｐ）、モノモリウム ファラオニス（Ｍｏｎｏｍｏｒｉｕｍ ｐｈａｒａｏｎｉｓ）、ネオジプリオン種（Ｎｅｏｄｉｐｒｉｏｎ ｓｐｐ）、ソレノプシス種（Ｓｏｌｅｎｏｐｓｉｓ ｓｐｐ）及びベスパ種（Ｖｅｓｐａ ｓｐｐ）；
双翅目から、例えば、
アエデス種（Ａｅｄｅｓ ｓｐｐ）、アンテリゴナ ソカタ（Ａｎｔｈｅｒｉｇｏｎａ ｓｏｃｃａｔａ）、バビオ ホルツラヌス（Ｂａｂｉｏ ｈｏｒｔｕｌａｎｕｓ）、カリフォラ エリスロセファラ（Ｃａｌｌｉｐｈｏｒａｅｒｙｔｈｒｏｃｅｐｈａｌａ）、セラチチス種（Ｃｅｒａｔｉｔｉｓ ｓｐｐ）、クリソミア種（Ｃｈｒｙｓｏｍｙｉａ ｓｐｐ）、クレックス種（Ｃｕｌｅｘ ｓｐｐ）、クテレブラ種（Ｃｕｔｅｒｅｂｒａ ｓｐｐ）、ダクス種（Ｄａｃｕｓ ｓｐｐ）、ドロソフィラ メラノガステル（Ｄｒｏｓｏｐｈｉｌａ ｍｅｌａｎｏｇａｓｔｅｒ）、ファニア種（Ｆａｎｎｉａ ｓｐｐ）、ガストロフィルス種（Ｇａｓｔｒｏｐｈｉｌｕｓ ｓｐｐ）、グロシナ種（Ｇｌｏｓｓｉｎａ ｓｐｐ）、ヒポデルマ種（Ｈｙｐｏｄｅｒｍａ ｓｐｐ）、ヒッポボスカ種（Ｈｙｐｐｏｂｏｓｃａ ｓｐｐ）、リリオミザ種（Ｌｉｒｉｏｍｙｚａ ｓｐｐ）、ルシリア種（Ｌｕｃｉｌｉａ ｓｐｐ）、メラナグロミザ種（Ｍｅｌａｎａｇｒｏｍｙｚａ ｓｐｐ）、ムスカ種（Ｍｕｓｃａ ｓｐｐ）、オエストルス種（Ｏｅｓｔｒｕｓ ｓｐｐ）、オルセオリア種（Ｏｒｓｅｏｌｉａ ｓｐｐ）、オシネラ フリット（Ｏｓｃｉｎｅｌｌａ ｆｒｉｔ）、ペゴミア ヒオシアミ（Ｐｅｇｏｍｙｉａ ｈｙｏｓｃｙａｍｉ）、フォルビア種（Ｐｈｏｒｂｉａ ｓｐｐ）、ラゴレチス ポモネラ（Ｒｈａｇｏｌｅｔｉｓ ｐｏｍｏｎｅｌｌａ）、スシアラ種（Ｓｃｉａｒａ ｓｐｐ）、ストモキス種（Ｓｔｏｍｏｘｙｓ ｓｐｐ）、タバヌス種（Ｔａｂａｎｕｓ ｓｐｐ）、タニア種（Ｔａｎｎｉａ ｓｐｐ）及びチプラ種（Ｔｉｐｕｌａ ｓｐｐ）；
隠翅目から、例えば、
セラトフィルス種（Ｃｅｒａｔｏｐｈｙｌｌｕｓ ｓｐｐ）及びキセノプシラ チェオピス（Ｘｅｎｏｐｓｙｌｌａ ｃｈｅｏｐｉｓ）、並びに
シミ目から、例えば、
レピスマ サッカリナ（Ｌｅｐｉｓｍａ ｓａｃｃｈａｒｉｎａ）
から保護するのに用いることができる。
【００２６】
線虫害虫
本発明の組成物により防除することのできる代表的なクラスの線虫の例としては、例えば：根こぶ線虫、茎線虫及び葉線虫；特にヘテロデラ種（Ｈｅｔｅｒｏｄｅｒａ  ｓｐｐ）例えば、ヘテロデラチャクチイ（Ｈｅｔｅｒｏｄｅｒａ ｓｃｈａｃｈｔｉｉ）、ヘテロドラアベナエ（Ｈｅｔｅｒｏｄｏｒａ ａｖｅｎａｅ）及びヘテロドラトリフォリイ（Ｈｅｔｅｒｏｄｏｒａ ｔｒｉｆｏｌｉｉ）；ホプロライムス種（Ｈｏｐｌｏｌａｉｍｕｓ  ｓｐｐ）、例えばホプロライムスガレアタス（Ｈｏｐｌｏｌａｉｍｕｓ  ｇａｌｅａｔｕｓ）及びホプロライムスコロンブス（Ｈｏｐｌｏｌａｉｍｕｓ  ｃｏｌｕｍｂｕｓ）；グロボデラ種（Ｇｌｏｂｏｄｅｒａ  ｓｐｐ）、例えばグロボデラロストチエンシス（Ｇｌｏｂｏｄｅｒａ ｒｏｓｔｏｃｈｉｅｎｓｉｓ）；メロイドジン種（Ｍｅｌｏｉｄｏｇｙｎｅ  ｓｐｐ）、例えばメロイドジンインコジニタ（Ｍｅｌｏｉｄｏｇｙｎｅ ｉｎｃｏｇｉｎｉｔａ）及びメロイドジンジャバニカ（Ｍｅｌｏｉｄｏｇｙｎｅ ｊａｖａｎｉｃａ）；ラドフォラス種（Ｒａｄｏｐｈｏｌｕｓ  ｓｐｐ）、例えばラドフォラス  シミリス（Ｒａｄｏｐｈｏｌｕｓ ｓｉｍｉｌｉｓ）；ロチレンキュルス種（Ｒｏｔｙｌｅｎｃｈｕｌｕｓ  ｓｐｐ）、例えばＲ．レニホルミス（Ｒ．ｒｅｎｉｆｏｒｍｉｓ）；プラチレンクス種（Ｐｒａｔｙｌｅｎｃｈｕｓ  ｓｐｐ）、例えばプラチレンクスネグレクタンス（Ｐｒａｔｙｌｅｎｃｈｕｓ ｎｅｇｌｅｃｔａｎｓ）及びプラチレンクスペネトランス（Ｐｒａｔｙｌｅｎｃｈｕｓ ｐｅｎｅｔｒａｎｓ）；チレンキュルス種（Ｔｙｌｅｎｃｈｕｌｕｓ  ｓｐｐ）、例えばチレンキュルスセミペネトランス（Ｔｙｌｅｎｃｈｕｌｕｓ  ｓｅｍｉｐｅｎｅｔｒａｎｓ）；ベロノライムス種（Ｂｅｌｏｎｏｌａｉｍｕｓ  ｓｐｐ）；ロンジドラス種（Ｌｏｎｇｉｄｏｒｕｓ  ｓｐｐ）；トリコドラス種（Ｔｒｉｃｈｏｄｏｒｕｓ  ｓｐｐ）；キシフィネマ種（Ｘｉｐｈｉｎｅｍａ  ｓｐｐ）；ジチレンクス種（Ｄｉｔｙｌｅｎｃｈｕｓ  ｓｐｐ）；アフェレンコイデス種（Ａｐｈｅｌｅｎｃｈｏｉｄｅｓ  ｓｐｐ）；及びアングイナ種（Ａｎｇｕｉｎａ  ｓｐｐ）；特にメロイドジン種（Ｍｅｌｏｉｄｏｇｙｎｅ  ＳＰＰ）、例えばメロイドジンインコジニタ（Ｍｅｌｏｉｄｏｇｙｎｅ ｉｎｃｏｇｉｎｉｔａ）、及びヘテロデラ種（Ｈｅｔｅｒｏｄｅｒａ  ｓｐｐ）、例えばヘテロデラグリシン（Ｈｅｔｅｒｏｄｅｒａ ｇｌｙｃｉｎｅ）が挙げられる。
【００２７】
標的作物
本発明の範囲内の標的作物は、例えば以下の植物種である：ビート（甜菜及び飼料用ビート）、油脂植物（カノーラ、菜種、からしの種子、ポピー、オリーブ、ヒマワリ、ココナッツ、トウゴマ、カカオの実、ラッカセイ及びダイズ）。ピーナッツ、小麦ソルガム、綿、トウモロコシ、ダイズ、タバコ、コール、キャベツ、タマネギ及びニンジンも挙げることができる。
【００２８】
本発明の範囲内の他の適切な作物としては、ジャガイモ、ミント、イネ科植物試料及び干し草並びにハーブのサブグループが挙げられる。
更に、４０ ＣＦＲ Ｓｅｃ．１８０．４１（１９９５）中の作物グループの表に記載されている作物について言及する。有用な作物に関するそれらの開示のために、４０ ＣＦＲ Ｓｅｃ．１８０．４１（１９９５）及び連邦公報（Ｍａｙ １７、１９９５（ｖｏｌ．６０，ｎｏ．９５）ｐｐ．２６６２５−２６６４３）が、本明細書中で引用文献により完全に組み込まれている：
（１）作物グループ５：アブラナ科（コール）葉菜グループ、例えばブロッコリ、カリフラワー；キャベツ；及びカラシナ；
（２）作物グループ９：ウリ科野菜グループ、例えばキュウリ、メロン、カンタロープ、マスクメロン、スカッシュ、例えばペポカボチャ；
（３）作物グループ１１：仁果グループ、例えばリンゴ及びナシ；
（４）作物グループ１５：穀物グループ、例えばトウモロコシ及びコメ。
【００２９】
果菜グループ、例えばトマト及びコショウも挙げることができる。
【００３０】
以下の植物は、本発明の少なくとも２成分（例えば、アバメクチン及びチアメトキサム）の殺虫組成物に特に適した標的作物として見なされる：油脂植物（カノーラ、菜種、からしの種子、ポピー、オリーブ、ヒマワリ、ココナッツ、トウゴマ、カカオの実、ラッカセイ）の植物繁殖材料（例えば種子）。
【００３１】
本発明に従って処理する標的作物及び種子としては、慣用の品種及び遺伝学的に強化した品種又は遺伝子組み換えした品種、例えば昆虫耐性品種（例えば、Ｂｔ． Ａｎｄ ＶＩＰ品種）並びに耐病性品種、除草剤耐性品種及び線虫耐性品種が挙げられる。一例としては、適切な遺伝学的に強化した品種又は遺伝子組み換えした作物品種として、Ｓｔｏｎｅｖｉｌｌｅ  ５５９９ＢＲ綿及びＳｔｏｎｅｖｉｌｌｅ  ４８９２ＢＲ綿の品種が挙げられる。
【００３２】
種子処理
本発明の殺虫組成物は、種子、特に綿の種子、果菜類、例えばトマト及びコショウ、ウリ科野菜、例えばメロン、カンタロープ、スカッシュ及びキュウリを保護するのに、特に有利であることが分かった。しかし、本発明の組成物は、土壌又は植物の他の部分の直接的な処理にも適している。本発明の組成物は、植物によって良好な耐性を示され、そして生態学的に許容される。
【００３３】
本発明の目的は、植物の繁殖産物（植物繁殖材料）及びそれから得られる植物体を、線虫病及び真菌病から保護するための方法でもある。ここで、当該繁殖産物を、本発明の殺線虫性で且つ殺虫性で且つ実質的に植物毒性のない組成物で被覆する。
【００３４】
本発明の少なくとも２成分の殺虫組成物は、製剤技術における通例のアジュバントと共に通常用いる。通常、活性成分（Ａ）並びに（Ｂ１）、（Ｂ２）及び（Ｂ３）のうちの少なくとも１つとの組み合わせは、組成物の形態で、同時に又は連続的に、更なる化合物と共に、植物繁殖材料に適用する（種子又はその繁殖の場所（例えば畝）に適用することもできるが）。これらの更なる化合物は、肥料又は微量栄養素ドナー又は植物の成長に影響を与える他の調製物であることができる。それらは、選択的除草剤、殺虫剤、殺真菌剤、殺菌剤、昆虫成長抑制剤、植物成長抑制剤、葉面若しくは土壌適用殺線虫剤、軟体動物駆除剤又はこれらの調製物のいくつかの混合物（もし必要であれば、更なる担体、界面活性剤又は製剤の分野において通例用いられる適用促進アジュバントと共に）であることもできる。更に、接種材料、増白剤及びポリマーを挙げることができる。
【００３５】
本発明は、基本的に本発明の少なくとも２成分の殺虫組成物に加えて、適切な不活性の界面活性剤又は適切な不活性の液体若しくは固体担体から成る、種子上又は種子中の線虫及び昆虫を防除するための適切な農業用組成物も含む。本明細書中で用いる場合、「基本的に、から成る」という語句は、他の活性殺虫物質又は慣用の製剤成分の存在を排除しない。
【００３６】
活性成分（Ａ）並びに（Ｂ１）、（Ｂ２）及び（Ｂ３）のうちの少なくとも１つを、例えば乳化可能な濃縮物、懸濁エマルジョン、広げることのできるペースト、直接スプレー可能な又は希釈可能な溶液、希薄エマルジョン、湿潤化可能な粉末、溶解性粉末、粉剤、顆粒を得るために、既知の方法で加工し、そしてまた、例えばポリマー物質中にカプセル化するために加工し又は適用直前に別々に製剤した成分を水で同時に希釈することにより調製する、いわゆるタンクミックスの形態に加工する。適用方法、例えばスプレー、ミスト、噴霧、散布、ブラッシング又は注入、及び組成物の性質は、意図した目的及び支配的な環境に適応させるために適合する。特定の標的の線虫及び一組の昆虫圧力条件に対する、本発明の組成物の適用の最適な程度は、温室又は現場環境で実施する単純な範囲試験による過度の実験をせずに容易に決定することができる。一般的に、適用の好ましい程度は、保護する繁殖材料１００ｋｇあたり、０．０５〜１ｋｇ以下、特に０．１〜０．５ｋｇ、より特別には０．３〜０．５ｋｇの各活性成分（Ｂ１）、（Ｂ２）及び（Ｂ３）である。活性成分（Ａ）に関しては、適用の好ましい程度は、保護する繁殖材料１００ｋｇあたり、０．００５〜０．８ｋｇ以下、特に０．０１〜０．５ｋｇ、より特別には０．１〜０．４ｋｇの範囲であることができる。しかし、適用条件は基本的に、その物質の性質（表面積、濃度、水分含量）、及びその環境因子に依存する。従って、当業者は、これらの範囲内で、彼らの一般的な一連の知識及び適切な場合には２，３の実験に基づいて、植物毒性はないが殺虫及び／殺線虫の見地から効果的な投与量を決定する。
【００３７】
「植物繁殖材料」という用語は、植物の全ての生殖部分、例えば種子を意味すると理解され、これは後期及び栄養植物材料、例えば挿し木及び塊茎（例えば、ジャガイモ）の増殖に利用することができる。例えば、種子（厳格な意味で）、根、果実、塊茎、球根、根茎、植物体の一部を挙げることができる。発芽後又は土壌からの出芽後に移植される、発芽した植物および幼植物も挙げることができる。浸漬による全体または一部の処理によって、移植の前にこれらの幼植物を保護することができる。
【００３８】
種子処理適用の技術は当業者に周知であり、これらは本発明との関係において容易に使用され得る。活性成分はスラリー、固体種子コーティング、浸漬剤（ｓｏａｋ）として、又は種子の表面上の粉剤として製剤し、適用し得る。例えば、フィルム−コーティング又はカプセル化も挙げることができる。コーティング加工はこの分野で周知であり、種子については、フィルム−コーティング又はカプセル化の技術が使用され、或いは他の繁殖産物については、浸漬の技術が使用される。言うまでもなく、種子へのこの化合物の適用方法は変えることができ、本発明は使用されるべき任意の技術を包むことを意図している。
【００３９】
本発明の混合物を適用する好ましい方法は、液体調製物を用いて植物繁殖材料をスプレー又は湿潤させること、或いはこの植物材料を活性成分の固体調製物と混合することから成る。
【００４０】
本発明の化合物は、種子処理タンク中で製剤又は混合することができ、或いは他の種子処理物質で上塗りすることにより種子上に結合させることができる。本発明の化合物と混合すべき物質は、害虫の防除、成長の変化、栄養、又は植物病害の抑制のためのものであることができる。
【００４１】
製剤
活性成分（Ａ）並びに（Ｂ１）、（Ｂ２）及び／又は（Ｂ３）、並びに適切な場合には、適切な不活性の固体又は液体担体を含む、製剤、すなわち組成物、調製物又は混合物は、既知の方法、例えば活性成分を不活性の農業上許容される増量剤と、例えば固体又は液体担体及び適切な場合には界面活性化合物（界面活性剤）と、均質に混合及び／又は粉砕することにより調製する。このような組成物は、流動性組成物、懸濁物、マイクロ懸濁物、懸濁エマルジョン、水和剤、顆粒濃縮物、マイクロエマルジョンなどとして有利に製剤することができる。これらの全ては、種子処理適用及び必要な植物保護を提供するのに役立つ。
【００４２】
本記載中の「担体」という用語は、植物体、種子又は土壌への適用を容易にするために活性物質と混合する、天然又は合成の、有機又は無機物質を示す。従って、この担体は一般的に不活性であり、それは特に処理する植物に対して農業上許容可能でなければならない。この担体は、固体（粘土、天然又は合成のケイ酸塩、シリカ、樹脂、ワックス、固体肥料など）又は液体（水、アルコール、ケトン、石油留分、芳香族又はパラフィン系炭化水素、塩化炭化水素、液化ガスなど）であることができる。
【００４３】
適切な液体担体は：芳香族炭化水素、特に留分Ｃ8〜Ｃ12、例えばキシレン混合物又は置換ナフタレン、フタル酸エステル、例えばジブチル又はジオクチルフタル酸塩、脂肪族炭化水素、例えばシクロヘキサン又はパラフィン、アルコール及びグリコール並びにそれらのエーテル及びエステル、例えばエチレングリコールモノメチルエーテル、ケトン、例えばシクロヘキサノン、強極性溶媒、例えばＮ−メチル−２−ピロリドン、ジメチルスルホキシド又はジメチルホルムアミド、そしてもし適切な場合には、エポキシ化植物油又はダイズ油；又は水である。
【００４４】
例えば粉剤及び分散性粉末に用いることのできる固体担体は、方解石、滑石、カオリン、モントモリロナイト又はアタパルガイト、高分散性シリカ又は吸収性ポリマーである。顆粒のための有力な粒子状、吸収性担体は、軽石、破砕ブリック、海泡石又はベントナイト、モントモリロナイト型粘土、そして有力な非吸着担体物質は、方解石又は白雲石である。
【００４５】
適切な界面活性化合物は、製剤（個々に又は様々な順列及び組み合わせの１つにおいて）する活性成分（Ａ）並びに（Ｂ１）、（Ｂ２）及び／又は（Ｂ３）の性質に依存して、優れた乳化、分散及び湿潤特性を有する、非イオン性、陽イオン性及び／又は陰イオン性界面活性剤である。界面活性剤は、界面活性剤の混合物を意味するものとしても理解される。
【００４６】
製剤技術において通例用いられる界面活性剤は、特に以下の刊行物に記載されている：
「ＭｃＣｕｔｃｈｅｏｎ'ｓ Ｄｅｔｅｒｇｅｎｔｓ ａｎｄ Ｅｍｕｌｓｉｆｉｅｒｓ Ａｎｎｕａｌ」（ＭＣ Ｐｕｂｌｉｓｈｉｎｇ Ｃｏｒｐ．，Ｇｌｅｎ Ｒｏｃｋ，Ｎ．Ｊ．，１９８８．）
Ｍ．ａｎｄ Ｊ．Ａｓｈ，「Ｅｎｃｙｃｌｏｐｅｄｉａ ｏｆ Ｓｕｒｆａｃｔａｎｔｓ」（Ｖｏｌ．ｌ−ｌｌｌ，Ｃｈｅｍｉｃａｌ Ｐｕｂｌｉｓｈｉｎｇ Ｃｏ．，Ｎｅｗ Ｙｏｒｋ，１９８０−１９８１．）
【００４７】
適切な界面活性剤の中で、例えばポリアクリル酸塩、リグノスルホン酸塩、フェノールスルホン酸塩、（モノ−又はジ−アルキル）ナフタレンスルホン酸塩、ラウリル硫酸塩、エチレンオキシドのリグノスルホン酸塩との重縮合物、エチレンオキシドの脂肪アルコール又は脂肪酸若しくは脂肪アミンとの重縮合物、置換フェノール（特に、アルキルフェノール又はアリールフェノール、例えばモノ−及びジ−（ポリオキシアルキレンアルキルフェノール）リン酸塩、ポリオキシアルキレンアルキルフェノールカルボン酸塩、又はポリオキシアルキレンアルキルフェノール硫酸塩）、スルホコハク酸エステルの塩、タウリン誘導体（特に、アルキルタウライド（ａｌｋｙｌｔａｕｒｉｄｅ））、エチレンオキシドのリン酸化トリスチリルフェノールとの重縮合物及びエチレンオキシドのアルコール又はフェノールのリン酸エステルとの重縮合物が挙げられる。活性物質及び／又は不活性の賦形剤が水に不溶であり、適用のための担体物質が水であるので、少なくとも１つの界面活性剤の存在がしばしば必要である。
【００４８】
更に、適用を促進する特に有用なアジュバントは、一連のケファリン及びレシチンからの天然又は合成のリン脂質、例えばホスファチジルエタノールアミン、ホスファチジルセリン、ホスファチジルグリセリン又はリソレシチンである。
【００４９】
農薬組成物は一般的に：活性物質（Ａ）並びに（Ｂ１）、（Ｂ２）及び／又は（Ｂ３）を、０．１〜９９％、特に１０〜７５％、より特別には２０〜６０％含み；その製剤のバランスは、最適な界面活性剤及び当業界知られている他の最適な不活性成分、例えば保護コロイド、接着剤、増粘剤、チキソトロープ剤、浸透剤、保存剤、安定剤、消泡剤、不凍剤、金属イオン封鎖剤、色素、顔料、着色剤、及びポリマーとともに、固体及び／又は液体担体（例えば、水）を含んで成る。
【００５０】
１つの実施態様において、市販製品は好ましくは濃縮物として製剤され、一方でエンドユーザーは通常は希釈製剤を用いる。
【００５１】
１つの実施態様において、マクロライド化合物、特にアバメクチンを含む製剤は、水性懸濁液であり、製剤アジュバントとして少なくとも２つの界面活性化合物を含んで成る。ここで、（ｉ）少なくとも１つの界面活性化合物は、２２００未満、好ましくは１７００未満、例えば４００〜１５００の範囲、有利には６００〜１２００の範囲の分子量を有し、そして少なくとも１０、好ましくは１０〜２５、例えば１２〜２０、好ましくは１４〜１８の範囲の親水性−親油性バランス（ＨＬＢ）を有し、且つ（ｉｉ）少なくとも１つの界面活性化合物は、非イオン性であり、少なくとも２２００、好ましくは少なくとも３０００、例えば３５００〜１５０００、例えば３５００〜１００００、特に４０００〜７５００、有利には４５００〜６０００の範囲の分子量を有し、ここでこの化合物の分子量の１０〜８５、例えば１５〜８０、好ましくは１７〜５０％がこの化合物の親水性構成成分に寄与し、そして親水性比率から独立して、この化合物の疎水性構成成分の分子量は、２０００〜１００００、好ましくは２４００〜３９００、より好ましくは３０００〜３８００、例えば３２００〜３７００であり；マクロライド化合物に対する界面活性化合物の重量比が０．０８〜０．５、好ましくは０．１〜０．３、有利には０．１５〜０．２５の範囲であるならば、（ｉｉ）：（ｉ）の重量比は少なくとも０．５、例えば少なくとも１．０、好ましくは少なくとも１．５、特別には２〜５の範囲、有利には２〜３の範囲である。有利には、３つの界面活性剤（１つが（ｉ）であり、２つが（ｉｉ）である）が製剤中で用いられる。適切な界面活性化合物（ｉ）の例は、イオン性、有利には陰イオン性界面活性剤であり；例えば、硫酸塩タイプ（たとえば、アリール硫酸塩）及びリン酸塩タイプ（例えば、アルキルフェノールポリアルコキシエーテルリン酸塩、ポリアルコキシエーテルリン酸塩のブロック共重合体、ポリアリールフェノールポリアルコキシエーテルリン酸塩及びアリールフェノールポリアルコキシエーテルリン酸塩）から選択され、特にリン酸塩タイプの界面活性剤（例えば、ポリアリールフェノールポリアルコキシエーテルリン酸塩）である。各（ｉ）の界面活性化合物は同一のタイプのものであることが特に望まれ、好ましいタイプはリン酸塩タイプの界面活性剤である。適切な陰イオン性界面活性剤の具体例としては：Ｓｏｐｒｏｐｈｏｒ  ＰＳ１９（Ｒｈｏｄｉａ）、Ｄｏｗａｆａｘ３０  Ｃ０５（Ｄｏｗ）Ｓｏｐｒｏｐｈｏｒ  ４Ｄ３８４（Ｒｈｏｄｉａ）及びＳｏｐｒｏｐｈｏｒ  ３Ｄ３３（Ｒｈｏｄｉａ）が挙げられる。適切な界面活性化合物（ｉｉ）の例は、ポリアルキレンオキシドポリマー、例えばブロックポリマーである。具体例は、ポリオキシエチレンポリオキシプロピレンブロックポリマー、及びポリオキシエチレンポリオキシプロピレンブロックポリマーエーテルであり、そして具体例としては、Ｔｏｘｉｍｕｌ ８３２０（Ｓｔｅｐａｎ）、Ｅｍｕｌｓｏｇｅｎ ３５１０（Ｃｌａｒｉａｎｔ）、Ａｎｔａｒｏｘ ＰＬ／１２２（Ｒｈｏｄｉａ）、Ｐｌｕｒｏｎｉｃ Ｌ１０１（ＢＡＳＦ）、Ｐｌｕｒｏｎｉｃ Ｌ１２２（ＢＡＳＦ）及びＰｌｕｒｏｎｉｃ ＰＥ １０５００（ＢＡＳＦ）が挙げられる。
【００５２】
別の実施態様において、マクロライド化合物、特にアバメクチンを含む製剤は、水性懸濁液であり、製剤アジュバントとして少なくとも２つの界面活性化合物を含んで成る。ここで、（ａ）少なくとも１つは陰イオン性リン酸塩タイプの化合物であり、且つ（ｂ）少なくとも１つは非イオン性アルコキシル化アルコール又はフェノールである。１つの実施態様において、（ａ）及び（ｂ）の界面活性化合物の分子量は、互いに独立して、２２００未満、好ましくは１７００未満、例えば４００〜１５００の範囲、好ましくは６００〜１２００の範囲である。好ましくは、（ａ）界面活性化合物は、少なくとも１０、好ましくは１０〜２５、例えば１２〜２０、好ましくは１４〜１８の範囲の親水性−親油性バランス（ＨＬＢ）を有し；そして、好ましくは、（ｂ）界面活性化合物は、少なくとも５、好ましくは７〜２０、例えば１０〜１５の親水性−親油性バランス（ＨＬＢ）を有する。界面活性化合物（ａ）の（ｂ）に対する重量比は、一般的には、１：１０〜１０：１、好ましくは５：１〜１：１、特別には３：１〜１：１の範囲である。リン酸塩タイプの界面活性剤の例としては、アルキルフェノールポリアルコキシエーテルリン酸塩、ポリアルコキシエーテルリン酸塩のブロック共重合体、ポリアリールフェノールポリアルコキシエーテルリン酸塩及びアリールフェノールポリアルコキシエーテルリン酸塩が挙げられる。アルコキシル化アルコールの例としては、アルコキシル化アルコール（例えば、アルコキシル化オイル、アルコール中にＣ5〜Ｃ18の炭素原子を有するアルコキシル化アルコール）が挙げられる。アルコキシル化フェノールの例としては、アルキルフェノールポリアルコキシエーテル及び（ポリ）アリールフェノールポリアルコキシエーテルが挙げられる。好ましくは、（ｂ）化合物は、アルコキシル化フェノールである。適切な陰イオン性界面活性剤の具体例としては：Ｓｏｐｒｏｐｈｏｒ  ３Ｄ３３（Ｒｈｏｄｉａ）、Ｓｏｐｒｏｐｈｏｒ  ＰＳ１９（Ｒｈｏｄｉａ）及びＤｏｗａｆａｘ３０  Ｃ０５（Ｄｏｗ）が挙げられ、そして非イオン性界面活性剤の具体例としては：Ｓｙｎｐｅｒｏｎｉｃ  ＮＰ（Ｕｎｉｑｅｍａ）、Ｓｏｐｒｏｐｈｏｒ  ＢＳＵ（Ｒｈｏｄｉａ）、Ｒｈｏｄａｓｕｒｆ  ＢＣ−６１０（Ｒｈｏｄｉａ）、Ｔｏｘｉｍｕｌ  ８２４０（Ｓｔｅｐａｎ）及びＳｙｎｐｅｒｏｎｉｃ  ９１／４（Ｕｎｉｑｅｍａ）が挙げられる。
【００５３】
陰イオン性界面活性剤は、酸として存在することができ、或いはアルカリ金属（例えば、リチウム、ナトリウム及びカリウム）、アルカリ土類金属（例えば、カルシウム及びマグネシウム）、アンモニウム及び様々なアミン（例えば、アルキルアミン、シクロアルキルアミン及びアルカノールアミン）を含むことができる。
【００５４】
親水性−親油性バランス（ＨＬＢ）値は、Ｇｒｉｆｆｉｎにより提案された化合物の親水性の指数である。ポリオキシエチレンアルキルエーテルのＨＬＢ値は、例えばＧｒｉｆｆｉｎ方程式により決定することができる。
【００５５】
ＨＬＢ値＝［（親水性部分の分子量）／（界面活性化合物の分子量）］×２０
【００５６】
基、例えば硫酸イオン及びリン酸イオンも、ＨＬＢ値に寄与し得る。
【００５７】
以下の実施例は、本発明を限定するのではなく、例証することを意図する。
【実施例】
【００５８】
製剤の実施例（％＝重量パーセント）
【００５９】
実施例１
界面活性剤、増粘剤、ポリマー、懸濁補助物質（ａｉｄ）、消泡剤、保存剤及び不凍剤を、均一相が得られるまで水と混合することにより、アバメクチン製剤を調製する。その後、アバメクチンを加え、混合する。次に、得られた混合物を、いわゆるビーズミル（例えば、Ｄｙｎｏ、Ｄｒａｉｓ、Ｐｒｅｍｉｅｒ）により湿式粉砕する。粉砕パラメータは、得られた粉末のプレミックスの平均粒径が規格内（通常、メジアン粒径平均は、大きくて２．０ｕｍである）であるように設定される。最終的に、バッファー（もしあれば）及び少量の水を添加し、最終産物を少なくとも３０分間混合する。
【００６０】
【表１】
2007529435.tif 000002
【００６１】
実施例２
この製剤は、固体及び液体活性成分の混合物に適している。この固体活性成分を、一部分の乳化剤及び水と完全に混合し、この混合物を適切な製粉機の中で完全に粉砕する。別の部分の乳化剤及び水を、液体活性成分と混合する。２つの混合物を製剤中で用いる任意の他の不活性成分（例えば、顔料、増粘剤など）と共に混合する。
【００６２】
【表２】
2007529435.tif 000003
【００６３】
実施例３−タンクミックス種子処理製剤の調製
実施例１及び２の種子処理組成物を、スラリー中で以下の既製の種子処理製品と混合する：１００ｇ ａ．ｉ．／１００Ｋｇ種子（実施例１）：２５ｇ ａ．ｉ．／１００Ｋｇ種子（実施例２）：２１ｇ ａ．ｉ．／１００Ｋｇ種子（ミクロブタニル）及び３０ｇ ａ．ｉ．／１００,０００種子（チアメトキサム）の活性成分濃度を得るのに十分な量の、Ｃｒｕｉｓｅｒ（登録商標）５ ＦＳ（チアメトキサム）及びＳｙｓｔｈａｎｅ（登録商標）４０ＷＰ（ミクロブタニル）。最終的な混合組成物は、スプレー、湿潤又は１００Ｋｇの種子あたり２００ｍｌ〜３リットルの体積の最終混合組成物を含む容器中で混合することによる種子への適用に適している。この容器を回転及び／又は振とうすることにより、活性成分を種子表面上に均一に分配する。
【００６４】
実施例３の製剤でドレッシングした綿種子では、植物毒性は観察されない。昆虫及び線虫害虫の適切な防除が得られる。
【００６５】
実施例４−生物学的実施例
イントロダクション：
この実施例は、綿の昆虫（アザミウマ）を防除する種子処理として用いる、チアメトキサム（ＣＡＳ＃ １５３７１９−２３−４）、アバメクチン（ＣＡＳ＃ ６５１９５−５６−４及びＮｏ．６５１９５−５５−３）及び両化合物の混合物の有効性を比較する。
【００６６】
コントロール−基本の殺真菌剤種子処理のみ（殺虫剤又は殺線虫剤はなし）
（ａ）３．３２％のメフェノキサム（ＣＡＳ＃ ７０６３０−１７−０）、１．１１％のフルジオクソニル（ＣＡＳ＃ １３１３４１−８６−１）及び６．６４％のアゾキシストロビン（ＣＡＳ＃ １３１８６０−３３−８）を含む濃縮物を、担体としての水に希釈することにより、基本の殺真菌剤種子処理製剤を調製する。１〜２分間、周囲温度で、およそ１ＫｇのＤｅｌｔａ及びＰｉｎｅ Ｌａｎｄ綿種子（ＤＰ ５５５ ＢＲ）に、Ｈｅｇｅ種子処理装置（Ｈｅｇｅ）中で、個々の種子あたり０．３０ｍｇの活性成分の割合で、この製剤希釈物を適用する。処理した種子を空気乾燥し、出荷し、そして種まきの前に（およそ２週間）周囲温度で保存することが可能である。
【００６７】
チアメトキサムで処理した種子
（ｂ）Ｃｒｕｉｓｅｒ（登録商標）５ ＦＳ種子処理殺虫剤（Ｓｙｎｇｅｎｔａ Ｃｏｒｐ Ｐｒｏｔｅｃｔｉｏｎ，Ｉｎｃ）（４９％チアメトキサム及び（ａ）に記載の基本の殺真菌剤濃縮物を含む）を担体としての水に希釈することにより、種子処理製剤を調製する。１〜２分間、周囲温度で、およそ１ＫｇのＤｅｌｔａ及びＰｉｎｅ Ｌａｎｄ綿種子（ＤＰ ５５５ ＢＲ）に、Ｈｅｇｅ種子処理装置中で、個々の種子あたり０．３４ｍｇの活性成分の割合で、この製剤希釈物を適用する。処理した種子を空気乾燥し、出荷し、そして種まきの前に（およそ２週間）周囲温度で保存することが可能である。
【００６８】
アバメクチンで処理した種子
（ｃ）アバメクチン ５００ＦＳ種子処理殺線虫剤製剤（４６．３％アバメクチン及び基本の殺真菌剤濃縮物（ａ）を含む）を担体としての水に希釈することにより、種子処理製剤を調製する。１〜２分間、周囲温度で、およそ１ＫｇのＤｅｌｔａ及びＰｉｎｅ Ｌａｎｄ綿種子（ＤＰ ５５５ ＢＲ）に、Ｈｅｇｅ種子処理装置中で、個々の種子あたり０．１５ｍｇの活性成分の割合で、この製剤希釈物を適用する。処理した種子を空気乾燥し、出荷し、そして種まきの前に（およそ２週間）周囲温度で保存することが可能であった。
【００６９】
混合物処理
チアメトキサム及びアバメクチンの上記の製剤を、基本の殺真菌剤（ａ）と共に、担体としての水に一緒に混合した。チアメトキサム及びアバメクチンを、１つの種子あたり０．３４ｍｇ及び０．１５ｍｇの活性成分の割合で丁寧に適用した。１〜２分間、周囲温度で、およそ１ＫｇのＤｅｌｔａ及びＰｉｎｅ Ｌａｎｄ綿種子（ＤＰ ５５５ ＢＲ）に、Ｈｅｇｅ種子処理装置中で、この製剤希釈物を適用した。処理した種子を空気乾燥し、出荷し、そして種まきの前に（およそ２週間）周囲温度で保存することが可能であった。
【００７０】
コントロール（ａ）並びに処理した綿種子（ｂ）、（ｃ）及び（ｄ）を、以下のように２つの別々の試験（１）及び（２）において、野外区画（ｆｉｅｌｄ  ｐｌｏｔ）に植えた：
【００７１】
コントロール試験（ａ）、アバメクチンと基本の殺真菌剤（ｃ）、チアメトキサムと基本の殺真菌剤（ｂ）、並びにチアメトキサム及びアバメクチンの混合物と基本の殺真菌剤（ｄ）から成る、３０フィート（９．１ｍ）の無作為に選んだ完全なブロックレイアウトおいて、２畝の（３６インチ（９１ｃｍ）の畝間隔）の規模の区画に綿種子をまく（１フィートあたり４つの種子）。
【００７２】
これらの試験から以下のデータをまとめた：１）５つの植物体あたりの成体アザミウマの数、２）５つの植物体あたりの未成熟アザミウマの数、及び植物体のダメージ。アルコール中にアザミウマを回収し、実験室の解剖顕微鏡を用いてアザミウマの数を数えることにより、各処理の各繰り返しうちの５つのランダムな植物体からアザミウマを回収した。１〜５の段階評価（１＝ダメージなし、３＝中程度のダメージ、５＝厳しいダメージ）で、植物のダメージ（成長阻害、葉のしわなど）を評価する、視覚評価尺度を用いて、処理ごとの各複製内でダメージ評価を行った。
【００７３】
【表３】
2007529435.tif 000004
【００７４】
【表４】
2007529435.tif 000005
【００７５】
これらの試験の結果は、チアメトキサム及びアバメクチンを含む混合物種子処理（ｄ）の有効性が、チアメトキサム（ｂ）及びアバメクチン（ｃ）の種子処理単独よりも優れていることを示す。これらの調査結果は、綿の未成熟及び成体アザミウマ双方の複数の試験に対して証明された（表１及び表２）。試験１及び２において、未処理コントロールが最も多量のアザミウマを有し、その次はアバメクチン単独処理であった。アバメクチン単独処理は、いくらかのアザミウマ活性を与えた（未処理試験と比べた場合、〜５０％の防除）。これらの結果は、アバメクチンが浸透性でないという事実から驚くべきことであった。チアメトキサムで処理した綿種子（ｂ）は、種まき後１４及び２１日で約８５％のアザミウマを防除し、一方チアメトキサム及びアバメクチンの混合物（ｄ）は９５％超のアザミウマを防除した。
【００７６】
要約すると、本発明が植物繁殖材料の保護のための新規の少なくとも２成分の殺虫組成物を提供することが理解される。以下の特許請求の範囲により規定する本発明の範囲から逸脱することなく、比率、手順及び材料を変えることができる。
【国際調査報告】
2007529435.tif 000006
2007529435.tif 000007
2007529435.tif 000008
2007529435.tif 000009
2007529435.tif 000010
2007529435.tif 000011